(57)【要約】【課題】膜材の隣り合う側端部同士を構造体の内側から接合する。【解決手段】複数の膜材１１，１２の隣接する各側端部１１ａ，１２ａの厚さｔ1a，ｔ2aを他の部分１１ｂ，１２ｂよりも厚くする。前記側端部１１ａ，１２ａよりも中央側を平板１４ａ，１４ｂで挟み込んでねじ締めし、一対の膜材固定部を形成する。両膜材１１，１２の側端部１１ａ，１２ａが構造体の内面方向に向くようにして、前記ねじ締め位置と異なる位置で、両膜材１１，１２とこれら膜材１１，１２を挟み込んだ平板１４ａ，１４ｂにねじ棒１５ａを貫通させてナット１５ｂを締め込み、一対の膜材固定部の平板同士を密着させて両膜材１１，１２に張力を導入する。その後、ねじ棒１５ａを本接合用ボルト１６ａに付け替えて一対の膜材固定部同士を接合する。【効果】構造体の外側に仮設足場を設ける必要がなくなって、短期間で容易に膜体の隣り合う側端部同士を接合できる。【選択図】図１
2014141814.tif 000002
【特許請求の範囲】
【請求項１】
構造体に張設する複数の膜材の、隣接する側端部同士を接合する方法であって、
先ず、前記隣接する両膜材の各側端部を表裏面側から平板で挟み込み、これら平板を締め付けることによって一対の膜材固定部を形成し、
次に、前記両膜材の側端部が前記構造体の内面方向に向くようにして、前記締め付け位置と異なる位置で、前記両膜材とこれら膜材を挟み込んだ前記平板にねじ棒を貫通させた後、これらねじ棒に嵌合するナットを締め込んで前記一対の膜材固定部の前記平板同士を密着させることによって前記両膜材に張力を導入し、
その後、前記ねじ棒を本接合用ボルトに付け替えて前記一対の膜材固定部同士を接合することを特徴とする膜材の接合方法。
【請求項２】
前記隣接する両膜材の各側端部の厚さが他の部分の厚さよりも厚くなるようにしたことを特徴とする請求項１に記載の膜材の接合方法。
【請求項３】
前記ねじ棒を本接合用ボルトに付け替える際、適宜の本接合用ボルトにＵ字金物を取り付けて両膜材の張設用ケーブルに係合することを特徴とする請求項１又は２に記載の膜材の接合方法。
【発明の詳細な説明】
【技術分野】
【０００１】
本発明は、構造体の例えば屋根部や側壁部にテント等の膜材を張設する際に、膜材の隣り合う側端部同士を構造体の内側から接合する方法に関するものである。
【背景技術】
【０００２】
例えばトラス構造からなる構造体の屋根部や側壁部にテントを張設する際、屋根部の面積が広い場合は１枚のテントで屋根部を覆うことができないので、複数枚の膜材を用いてテントを張設することになる。
【０００３】
このように複数枚の膜材を用いてテントを張設する場合、膜材の隣り合う側端部同士を接合する必要がある。この隣り合う側端部同士の接合は、例えば図２に示すように、膜材１の隣り合う側端部に鳩目２を千鳥状に設け、これら鳩目２に紐３を通して結んだ後（レイシング法）、膜材１の隣り合う側端部から二股状に分岐させた継手膜１ａの先端同士を融着することで行っていた（特許文献１の従来技術参照）。
【０００４】
しかしながら、上記接合方法では、鳩目に通して結んだ紐を外部環境に曝すことを避けるために継手膜を構造体及び膜材の隣り合う側端部同士の外側に配置することになるので、構造体の内側から接合することができない。つまり、膜材の外側からの作業が必要となるため、屋根部の場合には屋根上からの作業が発生する。また、側壁部の場合には、膜材の外側に仮設足場を設置して作業する必要があった。
【先行技術文献】
【特許文献】
【０００５】
【特許文献１】特開平０６−２６２４５号公報
【発明の概要】
【発明が解決しようとする課題】
【０００６】
本発明が解決しようとする問題点は、膜材の隣り合う側端部同士の接合を図２に示した方法で行う場合は、鳩目に通して結んだ紐を外部環境に曝すことを避けるため、継手膜を骨組構造体及び膜材の隣り合う側端部同士の外側に配置することになるので、構造体の内側から接合することができないという点である。
【課題を解決するための手段】
【０００７】
本発明は、膜材の隣り合う側端部同士を、構造体の内側から接合できる方法を提供することを目的としてなされたものである。
【０００８】
本発明の膜材の接合方法は、
構造体に張設する複数の膜材の、隣接する側端部同士を接合する方法であって、
先ず、前記隣接する両膜材の各側端部を表裏面側から平板で挟み込み、これら平板を締め付けることによって一対の膜材固定部を形成し、
次に、前記両膜材の側端部が前記構造体の内面方向に向くようにして、前記締め付け位置と異なる位置で、前記両膜材とこれら膜材を挟み込んだ前記平板にねじ棒を貫通させた後、これらねじ棒に嵌合するナットを締め込んで前記一対の膜材固定部の前記平板同士を密着させることによって前記両膜材に張力を導入し、
その後、前記ねじ棒を本接合用ボルトに付け替えて前記一対の膜材固定部同士を接合することを最も主要な特徴としている。
【０００９】
本発明では、隣接する両膜材の各側端部の表裏面を平板で挟み込んだ後、両膜材の側端部を構造体の内面方向に向かせてねじ棒とナットで両膜材の平板同士を密着させて前記両膜材に張力を導入し、その後、ねじ棒を本接合用ボルトに付け替えるので、構造体の内側から膜材の接合が可能になる。
【発明の効果】
【００１０】
本発明では、構造体の内側から膜材の接合が可能になり、屋根上での作業や、構造体の外側に仮設足場を設ける必要がなくなるので、短期間及び低コストで容易に膜体の隣り合う側端部同士を接合することができる。
【図面の簡単な説明】
【００１１】
【図１】（ａ）〜（ｆ）は本発明の膜材の隣接する側端部同士を接合する方法を、順を追って説明する図である。
【図２】従来の膜材の隣接する側端部同士を接合する方法を説明する図である。
【発明を実施するための形態】
【００１２】
本発明は、隣接する両膜材の各側端部同士を構造体の内側から接合するという目的を、前記各側端部を表裏面側から平板で挟み込んだ後、側端部が構造体の内面方向に向くようにしてねじ棒とナットで両膜材の平板同士を密着させて前記両膜材に張力を導入し、その後、ねじ棒を本接合用ボルトに付け替えることで実現した。
【実施例】
【００１３】
本発明は、構造体の例えば屋根部に張設する膜材１１，１２の、隣接する各側端部１１ａ，１２ａ同士を接合する方法であり、以下、図１を用いて順を追って説明する。
【００１４】
（事前作業）
前記両膜材１１，１２の隣接する各側端部１１ａ，１２ａの厚さｔ1a，ｔ2aが他の部分１１ｂ，１２ｂの厚さｔ1b，ｔ2bよりも厚くなるようにしておく。
【００１５】
図１に示す例では、両膜材１１，１２の隣接する各側端部１１ａ，１２ｂを中央部側に折り返して形成した筒状の内部にロープやゴム等の長尺部材１３を挿入することで、各側端部１１ａ，１２ａの厚さｔ1a，ｔ2aを他の部分１１ｂ，１２ｂの厚さｔ1b，ｔ2bよりも厚くしている（図１（ａ）参照）。
【００１６】
このように両膜材１１，１２の隣接する各側端部１１ａ，１２ａの厚さｔ1a，ｔ2aを他の部分１１ｂ，１２ｂの厚さｔ1b，ｔ2bよりも厚くした場合は、これら側端部１１ａ，１２ａよりも中央側に寄った側に取付ける膜材固定金物１４が、側端部１１ａ，１２ａから外れ難くなる。
【００１７】
従って、膜材固定金物１４が膜材１１，１２の側端部１１ａ，１２ｂから外れ難いものであれば、図１のように側端部１１ａ，１２ｂに前記長尺部材１３を取付けるものに限らず、側端部１１ａ，１２ｂを複数回折り返したもの等でも良い。
【００１８】
また、取付けた膜材固定金物１４が膜材１１，１２の側端部１１ａ，１２ｂから外れ難いのであれば、必ずしも両膜材１１，１２の隣接する各側端部１１ａ，１２ａの厚さｔ1a，ｔ2aを他の部分１１ｂ，１２ｂの厚さｔ1b，ｔ2bよりも厚くする必要はない。
【００１９】
（接合作業）
先ず、前記各側端部１１ａ，１２ｂに挿入した前記長尺部材１３よりも中央側に膜材固定金物１４を取付けて一対の膜材固定部を形成する（図１（ｂ）参照）。
【００２０】
この膜材固定金物１４は、例えば、対をなす所定長さのアルミニウム等の金属製の平板１４ａ，１４ｂで膜材１１，１２を表裏面側から挟み込んで２個の皿ボルト１４ｃ及びナット１４ｄで締付けるものである。そして、平板１４ａ，１４ｂの、皿ボルト１４ｃとナット１４ｄによる締付け位置の間、及び締付け位置の両側の３箇所に、長尺のねじ棒１５ａの貫通孔１４ｅを設けている。
【００２１】
前記平板１４ａ，１４ｂで膜材１１，１２を挟み込んで締付ける際、構造体の外側から皿ボルト１４ｃを挿入し、外側に位置する平板１４ａの表面から皿ボルト１４ｃの頭部が突出しないようにしておく。
【００２２】
次に、前記両膜材１１，１２の側端部１１ａ，１２ａが前記構造体の内面方向に向くようにして両膜材１１，１２の側端部１１ａ，１２ａに取付けた平板１４ａ同士を相対させる。この状態で、相対させた膜材固定金物１４に設けた前記貫通孔１４ｅにねじ棒１５ａを貫通し、貫通させたねじ棒１５ａの両側にナット１５ｂを取付ける（図１（ｃ）参照）。
【００２３】
前記３本のねじ棒１５ａの両側から嵌合するナット１５ｂを順次締め込んで前記一対の膜材固定部の前記平板１４ａ，１４ａ同士を密着させ、前記両膜材１１，１２に張力を導入する（図１（ｄ）参照）。
【００２４】
その後、ナット１５ｂを締め込んだ前記３本のねじ棒１５ａを、順次、本接合用ボルト１６ａに付け替えて、前記一対の膜材固定部同士を接合する（図１（ｅ）参照）。その際、適宜の位置の本接合用ボルト１６ａにはＵ字金物１７を取付けて張設用ケーブル１８に係合し、構造物に取付ける（図１（ｆ））。なお、１６ｂは本接合用ボルト１６ａに嵌合するナットである。
【００２５】
本発明は、前記の例に限るものではなく、各請求項に記載の技術的思想の範疇であれば、適宜実施の形態を変更しても良いことは言うまでもない。
【００２６】
例えば、上記の例では、構造体の屋根部に張設するテントを構成する膜材の隣り合う側端部同士を接合する場合について説明したが、本発明方法は、屋根部に限らず、側壁部にテント等を構成する膜材を張設する際の接合にも適用できることは言うまでもない。
【００２７】
また、上記の例では、適宜の位置の本接合用ボルト１６ａにＵ字金物１７を取付けて張設用ケーブル１８に係合しているが、張設用ケーブル１８に係合できるものであれば、Ｕ字金物１７でなくても良い。
【符号の説明】
【００２８】
１１    膜材
１１ａ    側端部
１１ｂ    他の部分
１２    膜材
１２ａ    側端部
１２ｂ    他の部分
１４    膜材固定金物
１４ａ，１４ｂ    平板
１４ｃ    皿ボルト
１４ｄ    ナット
１４ｅ    貫通孔
１５ａ    ねじ棒
１５ｂ    ナット
１６ａ    本接合用ボルト
１６ｂ    ナット
１７    Ｕ字金物
１８    張設用ケーブル
【図１】
2014141814.tif 000003
【図２】
2014141814.tif 000004